(57)【要約】【課題】来店したにも拘わらず、商品を購入するチャンスを逃すことがあった。【解決手段】（１）顧客が購入した商品の購入履歴データを記憶する不揮発性メモリを有するカードと、（２）（２ａ）前記カードの前記不揮発性メモリから、前記購入履歴データを読み出す不揮発性メモリリーダと、（２ｂ）店内にある複数の商品に関するデータを記憶するデータベースと、（２ｃ）前記読み出された購入履歴データに基づき前記データベースを検索することによって、前記購入履歴データにより示される前記商品に関連ある商品を抽出する検索部と、（２ｄ）前記抽出された商品のリストを印刷部と、を有する購入商品候補リスト印刷装置と、を含む。【選択図】図１
2009193402.tif 000002
【特許請求の範囲】
【請求項１】
（１）顧客が購入した商品の購入履歴データを記憶する不揮発性メモリを有するカードと、
（２）（２ａ）前記カードの前記不揮発性メモリから、前記購入履歴データを読み出す不揮発性メモリリーダと、
（２ｂ）店内にある複数の商品に関するデータを記憶するデータベースと、
（２ｃ）前記読み出された購入履歴データに基づき前記データベースを検索することによって、前記購入履歴データにより示される前記商品に関連ある商品を抽出する検索部と、
（２ｄ）前記抽出された商品のリストを印刷部と、を有する購入商品候補リスト印刷装置と、を含むことを特徴とする購入商品候補リスト印刷システム。
【請求項２】
前記不揮発性メモリは、ＦｅＲＡＭであることを特徴とする請求項１記載の購入商品候補リスト印刷システム。
【請求項３】
（１）顧客が購入した商品の購入履歴データを記憶する不揮発性メモリを有するカードと、
（２）（２ａ）前記カードの前記不揮発性メモリから、前記購入履歴データを読み出す不揮発性メモリリーダと、
（２ｂ）店内にある複数の商品に関するデータを記憶するデータベースと、
（２ｃ）前記読み出された購入履歴データに基づき前記データベースを検索することによって、前記購入履歴データにより示される前記商品に関連ある商品を抽出する検索部と、を含むことを特徴とする購入商品候補リストシステム。
【発明の詳細な説明】
【技術分野】
【０００１】
本発明は、購入商品候補リスト印刷システム及び購入商品候補リストシステムに関する。
【背景技術】
【０００２】
下記の特許文献１に記載された従来のシステムが導入されたデパートの顧客である情報要求者は、当該情報要求者が配信を予め希望する分野のバーゲン情報を入手することができる。
【０００３】
【特許文献１】特開２００１−１３４６５５号公報
【発明の開示】
【発明が解決しようとする課題】
【０００４】
しかしながら、前記顧客は、前記分野を恣意的に決めることから、当該分野が、当該顧客が過去に購入した商品と関連性を有するとは限らない。例えば、前記顧客が、前記分野として、現在夢中になっている「ゴルフ」を指定している場合に、前記デパートに来店した顧客は、当該デパートに、当該顧客が過去に購入したスーツによく似合うネクタイが取り揃えられているとしても、当該ネクタイが前記分野「ゴルフ」に無関係であることから、当該ネクタイに関するバーゲン情報を入手することができなかったばかりに、当該ネクタイを購入するチャンスを逃してしまうという問題があった。
【課題を解決するための手段】
【０００５】
本発明は、上記した課題を解決すべく、以下の適用例により実現される。
【０００６】
［適用例１］
（１）顧客が購入した商品の購入履歴データを記憶する不揮発性メモリを有するカードと、
（２）（２ａ）前記カードの前記不揮発性メモリから、前記購入履歴データを読み出す不揮発性メモリリーダと、
（２ｂ）店内にある複数の商品に関するデータを記憶するデータベースと、
（２ｃ）前記読み出された購入履歴データに基づき前記データベースを検索することによって、前記購入履歴データにより示される前記商品に関連ある商品を抽出する検索部と、
（２ｄ）前記抽出された商品のリストを印刷部と、を有する購入商品候補リスト印刷装置と、を含むことを特徴とする購入商品候補リスト印刷システム。
［適用例２］
前記不揮発性メモリは、ＦｅＲＡＭである適用例１の購入商品候補リスト印刷システム。
【０００７】
［適用例３］
（１）顧客が購入した商品の購入履歴データを記憶する不揮発性メモリを有するカードと、
（２）（２ａ）前記カードの前記不揮発性メモリから、前記購入履歴データを読み出す不揮発性メモリリーダと、
（２ｂ）店内にある複数の商品に関するデータを記憶するデータベースと、
（２ｃ）前記読み出された購入履歴データに基づき前記データベースを検索することによって、前記購入履歴データにより示される前記商品に関連ある商品を抽出する検索部と、を含むことを特徴とする購入商品候補リストシステム。
【発明を実施するための最良の形態】
【０００８】
実施例の購入商品候補リスト印刷システムについて図面を参照して説明する。
【０００９】
《構成》
図１は、実施例の購入商品候補リスト印刷システムの構成を示す。実施例の購入商品候補リスト印刷システムは、図１に示されるように、購入商品候補リスト印刷装置Ｐと、カードＣと、を含む。
【００１０】
〈購入商品候補リスト印刷装置〉
購入商品候補リスト印刷装置Ｐは、例えば、デパートＤ内の出入口扉の近くに設けられており、制御部ＣＴと、不揮発性メモリリーダ／ライタＲＷと、データベースＤＢと、検索部ＲＴと、印刷部ＰＲと、を有する。
【００１１】
制御部ＣＴは、例えば、ＣＰＵからなり、購入商品候補リスト印刷装置Ｐの全体的な動作を制御しかつ監視する。
【００１２】
不揮発性メモリリーダ／ライタＲＷは、デパートＤの顧客ＣＬが来店したとき、デパートＤの顧客ＣＬが所有するカードＣ内の不揮発性メモリＦＭから、当該不揮発性メモリＦＭに記憶されている購入履歴データＤＴ（図２に図示。）を読み出し、また、前記顧客ＣＬが店内で買い物をしたとき、当該買い物をした年月日、商品名を書き込むことにより、購入履歴データＤＴを更新する。
【００１３】
図２は、実施例の購入履歴データを示す。前記購入履歴データＤＴとして、年月日「Ｙ１／Ｍ１／Ｄ１」に、商品「スーツ、靴、Ｙシャツ」を購入した旨が既に書き込まれていることを想定すると、不揮発性メモリリーダ／ライタＲＷは、前記顧客ＣＬが、年月日「Ｙ２／Ｍ２／Ｄ２」に来店したとき、前記カードＣの不揮発性メモリＦＭから、上記した年月日「Ｙ１／Ｍ１／Ｄ１」及び前記商品名「スーツ、靴、Ｙシャツ」を読み出し、また、前記顧客ＣＬが、前記の年月日「Ｙ２／Ｍ２／Ｄ２」に商品「万年筆、便箋」を購入したとき、前記不揮発性メモリＦＭに、前記年月日「Ｙ２／Ｍ２／Ｄ２」及び前記商品名「万年筆、便箋」を書き込むことにより、購入履歴データＤＴを更新する。
【００１４】
図３は、実施例のデータベースが記憶するデータを示す。データベースＤＢは、図３に示されるように、デパートＤの店内のフロア毎に、取り扱っている商品名が記憶されている。例えば、フロア「１Ｆ」で商品「ブリーフケース、ネクタイ」を取り扱っている旨、フロア「３Ｆ」で商品「スーツ、パジャマ、ゴルフクラブ」を取り扱っている旨、フロア「５Ｆ」で商品「ボールペン、ペーパーナイフ」を取り扱っている旨が記憶されている。データベースＤＢは、さらに、前記商品毎に、商品についての説明（備考）が付記されており、例えば、「新作柄である」、「シックなデザインである」等）が付記されている（図示せず。）。
【００１５】
検索部ＲＴは、前記読み出された購入履歴データＤＴに基づき前記データベースＤＢを検索することにより、来店した前記顧客ＣＬが、今回、購入する可能性が高い商品の候補（後述されるように、例えば、ネクタイ、ペーパーナイフ）を抽出する。
【００１６】
印刷部ＰＲは、例えば、インクジェットプリンタ及びレーザープリンタであり、前記抽出された、購入する可能性が高い購入商品候補リストＬＳＴ（図１、図５に図示。）を印刷する。
【００１７】
〈カード〉
カードＣは、上記したように、前記顧客ＣＬにより所有されており、不揮発性メモリＦＭを有する。
【００１８】
不揮発性メモリＦＭは、例えば、ＦｅＲＡＭ、ＥＥＰＲＯＭであり、特に、前記購入履歴データＤＴの更新、即ち、不揮発性メモリＦＭへの書き込みを高速に行う観点からは、ＦｅＲＡＭであることが望ましい。不揮発性メモリＦＭは、図２に図示の、上述した購入履歴データＤＴを記憶している。
【００１９】
《動作》
図４は、実施例の購入商品候補リスト印刷システムの動作を示すフローチャートである。また、図５は、実施例の購入商品候補リストを示す。以下、実施例の購入商品候補リスト印刷システムの動作を図４のフローチャートを参照して説明する。
【００２０】
以下では、説明及び理解を容易にすべく、年月日「Ｙ２／Ｍ２／Ｄ２」の後である年月日「Ｙ３／Ｍ３／Ｄ３」（図示せず。）に、顧客ＣＬがデパートＤに来店することを想定する。
【００２１】
ステップＳ１０：顧客ＣＬは、カードＣを携帯してデパートＤに来店する。
【００２２】
ステップＳ１１：前記顧客ＣＬは、デパートＤの出入口扉を通過すると、出入口扉の近くに設置してある購入商品候補リスト印刷装置ＰにカードＣを挿入し、不揮発性メモリリーダ／ライタＲＷは、当該カードＣの不揮発性メモリＦＭから購入履歴データＤＴとして、年月日「Ｙ１／Ｍ１／Ｄ１」に商品「スーツ、靴、Ｙシャツ」を購入した旨、及び、年月日「Ｙ２／Ｍ２／Ｄ２」に商品「万年筆、便箋」を購入した旨を読み出す。
【００２３】
ステップＳ１２：検索部ＲＴは、前記読み出された購入履歴データＤＴに基づきデータベースＤＢを検索することにより、年月日「Ｙ１／Ｍ１／Ｄ１」に購入した商品「スーツ」に関連する商品（購入する可能性が高い商品）「ネクタイ」がフロア「１Ｆ」にある旨、及び、年月日「Ｙ２／Ｍ２／Ｄ２」に購入した商品「万年筆、便箋」に関連する商品「ペーパーナイフ」がフロア「５Ｆ」にある旨を抽出する。
【００２４】
ステップＳ１３：印刷部ＰＲは、図５に示されるように、前記抽出された商品名「ネクタイ、ペーパーナイフ」及び当該商品の説明「Ｙ１／Ｍ１／Ｄ１に購入されたスーツには、新作柄のネクタイがお勧めです。」、「Ｙ２／Ｍ２／Ｄ２に購入された万年筆と同様に、シックなデザインのものを取り揃えております。」の旨を印刷することにより、購入商品候補リストＬＳＴを作成する。顧客ＣＬは、購入商品候補リスト印刷装置ＰからカードＣを抜き取った後、当該購入商品候補リストＬＳＴを参照してデパートＤ内での買い物を開始する。
【００２５】
《効果》
上述したように、実施例の購入商品候補リスト印刷システムによれば、検索部ＲＴが、不揮発性メモリリーダ／ライタＲＷによりカードＣの不揮発性メモリＦＭから読み出された購入履歴データＤＴに基づきデータベースＤＢを検索することにより、顧客ＣＬが今回の来店で購入する可能性が高い商品の候補を購入商品候補リストＬＳＴとして印刷することから、顧客ＣＬは、過去に購入した「スーツ」、「万年筆、便箋」に関連するものの、顧客ＣＬが来店前には購入を考えていなかった商品「新作柄のネクタイ」、「シックなデザインのペーパーナイフ」を購入するきっかけを得ることが可能となる。
【図面の簡単な説明】
【００２６】
【図１】実施例の購入商品候補リスト印刷システムの構成を示す図。
【図２】実施例の購入履歴データを示す図。
【図３】実施例のデータベースが記憶するデータを示す図。
【図４】実施例の購入商品候補リスト印刷システムの動作を示すフローチャート。
【図５】実施例の購入商品候補リストを示す図。
【符号の説明】
【００２７】
Ｄ…デパート、ＣＬ…顧客、Ｐ…購入商品候補リスト印刷装置、ＲＷ…不揮発性メモリリーダ／ライタ、ＤＢ…データベース、ＰＲ…印刷部、Ｃ…カード、ＦＭ…不揮発性メモリ、ＤＴ…購入履歴データ、ＬＳＴ…商品購入候補リスト。
【図１】
2009193402.tif 000003
【図２】
2009193402.tif 000004
【図３】
2009193402.tif 000005
【図４】
2009193402.tif 000006
【図５】
2009193402.tif 000007